【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
遊技に伴う演出が表示される表示手段と、
遊技領域内に配置され、遊技媒体が常時入賞可能な第一始動口と、
第二始動口と、
前記第一始動口に遊技媒体が入賞したことを検出する第一入賞状態検出手段と、
該第一入賞状態検出手段による前記遊技媒体の検出に基づいて抽選を行う第一抽選手段と、
該第一抽選手段の抽選結果に基づいて第一特別図柄の抽選に関する第一表示態様を決定する第一表示態様決定手段と、
前記第二始動口に前記遊技媒体が入賞したことを検出する第二入賞状態検出手段と、
該第二入賞状態検出手段による前記遊技媒体の検出に基づいて抽選を行う第二抽選手段と、
該第二抽選手段の抽選結果に基づいて第二特別図柄の抽選に関する第二表示態様を決定する第二表示態様決定手段と、
前記第一表示態様決定手段又は前記第二表示態様決定手段によって決定された前記第一表示態様又は前記第二表示態様を、前記表示手段に導出する表示制御手段と、
前記第一入賞状態検出手段又は前記第二入賞状態検出手段による前記第一抽選手段または前記第二抽選手段のいずれか一方の抽選結果が、所定の結果である場合、遊技者に有利な有利遊技状態を発生させる有利遊技状態発生手段と、
前記第一表示態様または前記第二表示態様の前記導出中に、前記第一入賞状態検出手段によって前記遊技媒体が検出された場合、一定回数を第一の上限として記憶する第一始動記憶手段と、
前記第一表示態様の導出を、前記記憶された第一始動記憶数分だけ行わせる第一保留消化手段と、
前記第一表示態様または前記第二表示態様の前記導出中に、前記第二入賞状態検出手段によって前記遊技媒体が検出された場合、一定回数を第二の上限として記憶する第二始動記憶手段と、
前記第二表示態様の導出を、前記記憶された第二始動記憶数分だけ行わせる第二保留消化手段と、
前記遊技領域内で前記第一始動口の下方に前記第二始動口を形成し、そして、当該第二始動口を開閉する電動開閉入賞装置であって、その開放時には、前記第一始動口に向けて発射され、当該第一始動口に入賞しない遊技媒体の前記第二始動口への入賞を可能にし、その閉鎖時には、前記遊技媒体の前記第二始動口への入賞を不能にする前記電動開閉入賞装置と、
特定の遊技状態か否かを判定する遊技状態判定手段と、
を備え、
当該遊技状態判定手段が前記特定の遊技状態になったことを判定すると、前記電動開閉入賞装置は前記第二始動口を開放する機会を増加させて、前記第二始動口に前記遊技媒体の入賞がし易い状態へと変化させ、
前記特定の遊技状態で、前記第二始動口に向けて発射された前記遊技媒体は前記第一始動口にも入賞可能であり、
当該遊技媒体が当該第一始動口に入賞した際にも、前記第一表示態様又は前記第二表示態様の導出中では、前記第一始動記憶手段は、前記第一始動記憶を前記第一の上限の回数分まで記憶でき、当該遊技媒体が当該第二始動口に入賞した際、前記第一表示態様又は前記第二表示態様の導出中では、前記第二始動記憶手段は、前記第二始動記憶を前記第二の上限の回数分まで記憶でき、
前記第一保留消化手段と前記第二保留消化手段は、前記第一入賞状態検出手段及び第二入賞状態検出手段による前記遊技媒体の検出順に従って、前記表示手段に、前記表示制御手段によって、前記第一表示態様又は前記第二表示態様の導出を開始し、その導出が終了された後に、次の前記第一表示態様又は前記第二表示態様の導出を開始し、
前記第一始動記憶手段及び前記第二始動記憶手段とは別に設けられた記憶領域であって、前記検出順が記憶される前記第一の上限回数及び前記第二の上限回数の合計個数分の変動記憶順記憶領域の最初の記憶領域に記憶されている特別図柄の種別を基に、次に変動させる図柄が前記第一特別図柄又は前記第二特別図柄のいずれであるのかを決定するとともに、
決定された特別図柄の種別が前記第一特別図柄を示すものである場合には、前記第一抽選手段の抽選結果に基づく乱数を前記第一の上限回数個分記憶するための前記第一始動記憶手段の最初の記憶領域に記憶された乱数を読み出す一方、決定された特別図柄の種別が前記第二特別図柄を示すものである場合には、前記第二抽選手段の抽選結果に基づく乱数を前記第二の上限回数個分記憶するための前記第二始動記憶手段の最初の記憶領域に記憶された乱数を読み出し、
前記第一保留消化手段及び前記第二保留消化手段は、前記第一表示態様又は前記第二表示態様の導出の際、前記検出順を明示するとともに、決定された特別図柄の種別に基に、導出される前記第一表示態様又は前記第二表示態様が前記第一特別図柄に関するものであるか又は前記第二特別図柄に関するものであるかを明示する
ことを特徴とする遊技機。
【手続補正２】
【補正対象書類名】明細書
【補正対象項目名】０００９
【補正方法】変更
【補正の内容】
【０００９】
本発明に係る遊技機は、
遊技に伴う演出が表示される表示手段と、
遊技領域内に配置され、遊技媒体が常時入賞可能な第一始動口と、
第二始動口と、
前記第一始動口に遊技媒体が入賞したことを検出する第一入賞状態検出手段と、
該第一入賞状態検出手段による前記遊技媒体の検出に基づいて抽選を行う第一抽選手段と、
該第一抽選手段の抽選結果に基づいて第一特別図柄の抽選に関する第一表示態様を決定する第一表示態様決定手段と、
前記第二始動口に前記遊技媒体が入賞したことを検出する第二入賞状態検出手段と、
該第二入賞状態検出手段による前記遊技媒体の検出に基づいて抽選を行う第二抽選手段と、
該第二抽選手段の抽選結果に基づいて第二特別図柄の抽選に関する第二表示態様を決定する第二表示態様決定手段と、
前記第一表示態様決定手段又は前記第二表示態様決定手段によって決定された前記第一表示態様又は前記第二表示態様を、前記表示手段に導出する表示制御手段と、
前記第一入賞状態検出手段又は前記第二入賞状態検出手段による前記第一抽選手段または前記第二抽選手段のいずれか一方の抽選結果が、所定の結果である場合、遊技者に有利な有利遊技状態を発生させる有利遊技状態発生手段と、
前記第一表示態様または前記第二表示態様の前記導出中に、前記第一入賞状態検出手段によって前記遊技媒体が検出された場合、一定回数を第一の上限として記憶する第一始動記憶手段と、
前記第一表示態様の導出を、前記記憶された第一始動記憶数分だけ行わせる第一保留消化手段と、
前記第一表示態様または前記第二表示態様の前記導出中に、前記第二入賞状態検出手段によって前記遊技媒体が検出された場合、一定回数を第二の上限として記憶する第二始動記憶手段と、
前記第二表示態様の導出を、前記記憶された第二始動記憶数分だけ行わせる第二保留消化手段と、
前記遊技領域内で前記第一始動口の下方に前記第二始動口を形成し、そして、当該第二始動口を開閉する電動開閉入賞装置であって、その開放時には、前記第一始動口に向けて発射され、当該第一始動口に入賞しない遊技媒体の前記第二始動口への入賞を可能にし、その閉鎖時には、前記遊技媒体の前記第二始動口への入賞を不能にする前記電動開閉入賞装置と、
特定の遊技状態か否かを判定する遊技状態判定手段と、
を備え、
当該遊技状態判定手段が前記特定の遊技状態になったことを判定すると、前記電動開閉入賞装置は前記第二始動口を開放する機会を増加させて、前記第二始動口に前記遊技媒体の入賞がし易い状態へと変化させ、
前記特定の遊技状態で、前記第二始動口に向けて発射された前記遊技媒体は前記第一始動口にも入賞可能であり、
当該遊技媒体が当該第一始動口に入賞した際にも、前記第一表示態様又は前記第二表示態様の導出中では、前記第一始動記憶手段は、前記第一始動記憶を前記第一の上限の回数分まで記憶でき、当該遊技媒体が当該第二始動口に入賞した際、前記第一表示態様又は前記第二表示態様の導出中では、前記第二始動記憶手段は、前記第二始動記憶を前記第二の上限の回数分まで記憶でき、
前記第一保留消化手段と前記第二保留消化手段は、前記第一入賞状態検出手段及び第二入賞状態検出手段による前記遊技媒体の検出順に従って、前記表示手段に、前記表示制御手段によって、前記第一表示態様又は前記第二表示態様の導出を開始し、その導出が終了された後に、次の前記第一表示態様又は前記第二表示態様の導出を開始し、
前記第一始動記憶手段及び前記第二始動記憶手段とは別に設けられた記憶領域であって、前記検出順が記憶される前記第一の上限回数及び前記第二の上限回数の合計個数分の変動記憶順記憶領域の最初の記憶領域に記憶されている特別図柄の種別を基に、次に変動させる図柄が前記第一特別図柄又は前記第二特別図柄のいずれであるのかを決定するとともに、
決定された特別図柄の種別が前記第一特別図柄を示すものである場合には、前記第一抽選手段の抽選結果に基づく乱数を前記第一の上限回数個分記憶するための前記第一始動記憶手段の最初の記憶領域に記憶された乱数を読み出す一方、決定された特別図柄の種別が前記第二特別図柄を示すものである場合には、前記第二抽選手段の抽選結果に基づく乱数を前記第二の上限回数個分記憶するための前記第二始動記憶手段の最初の記憶領域に記憶された乱数を読み出し、
前記第一保留消化手段及び前記第二保留消化手段は、前記第一表示態様又は前記第二表示態様の導出の際、前記検出順を明示するとともに、決定された特別図柄の種別に基に、導出される前記第一表示態様又は前記第二表示態様が前記第一特別図柄に関するものであるか又は前記第二特別図柄に関するものであるかを明示することを特徴とする。
【手続補正３】
【補正対象書類名】明細書
【補正対象項目名】００１９
【補正方法】変更
【補正の内容】
【００１９】
本発明に係る遊技機の構成によれば、遊技領域には、少なくとも、第一始動口及び第二始動口が設けられており、第一始動口に遊技媒体が入賞したことが検出されると、それに基づいて第一抽選手段による抽選が行われる。また、第二始動口に遊技媒体が入賞したことが検出されると、それに基づいて第二抽選手段による抽選が行われる。一方、遊技に伴う演出が表示される表示手段が設けられており、表示制御手段は、第一抽選手段の抽選結果及び第二抽選手段の抽選結果に基づいて決定された第一表示態様及び第二表示態様のいずれか一方を表示手段に導出可能とする。つまり、何れか一方の始動口に遊技媒体が入賞した場合には、その始動口に対応する所定の表示態様が導出され、両方の始動口に遊技媒体が入賞した場合には、二つの表示態様が順次導出される。特に、第一抽選手段及び第二抽選手段のいずれに対しても順次保留順次消化処理が行われ、第一表示態様または第二表示態様の導出中に、第一入賞状態検出手段または第二入賞状態検出手段によって遊技媒体が検出された場合には、夫々一定回数を上限として個別に記憶するとともに、第一表示態様または第二表示態様の導出を、夫々記憶された数分だけ順次行わせる。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】削除
【補正の内容】
【手続補正３４】
【補正対象書類名】明細書
【補正対象項目名】００５２
【補正方法】削除
【補正の内容】
【手続補正３５】
【補正対象書類名】明細書
【補正対象項目名】００５３
【補正方法】削除
【補正の内容】
【手続補正３６】
【補正対象書類名】明細書
【補正対象項目名】００５４
【補正方法】削除
【補正の内容】
【手続補正３７】
【補正対象書類名】明細書
【補正対象項目名】００５５
【補正方法】削除
【補正の内容】
【手続補正３８】
【補正対象書類名】明細書
【補正対象項目名】００５６
【補正方法】削除
【補正の内容】
【手続補正３９】
【補正対象書類名】明細書
【補正対象項目名】００５７
【補正方法】削除
【補正の内容】
【手続補正４０】
【補正対象書類名】明細書
【補正対象項目名】００５８
【補正方法】削除
【補正の内容】
【手続補正４１】
【補正対象書類名】明細書
【補正対象項目名】００５９
【補正方法】削除
【補正の内容】
【手続補正４２】
【補正対象書類名】明細書
【補正対象項目名】００６０
【補正方法】削除
【補正の内容】
【手続補正４３】
【補正対象書類名】明細書
【補正対象項目名】００６１
【補正方法】削除
【補正の内容】
【手続補正４４】
【補正対象書類名】明細書
【補正対象項目名】００６２
【補正方法】削除
【補正の内容】
【手続補正４５】
【補正対象書類名】明細書
【補正対象項目名】００６３
【補正方法】変更
【補正の内容】
【００６３】
本発明に係る遊技機の一例は、パチンコ機であることを特徴とする。パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、センター役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するものである。
【手続補正４６】
【補正対象書類名】明細書
【補正対象項目名】００６５
【補正方法】変更
【補正の内容】
【００６５】
このようにすると、パチンコ機において、本発明に係る遊技機の作用効果を奏することができる。
【手続補正４７】
【補正対象書類名】明細書
【補正対象項目名】００６６
【補正方法】変更
【補正の内容】
【００６６】
本発明に係る遊技機の他の一例は、パチスロ機であることを特徴とする。パチスロ機とは、遊技媒体であるメダルを投入し、メダルの投入後、始動用操作手段（例えば操作レバー）の操作に応じて複数の図柄からなる図柄列を変動表示させるとともに、その後、停止用操作手段（例えばストップボタン）の操作に応じて図柄列の変動を停止させる、といった実質的な遊技を行うものであり、停止操作機能付きのスロットマシーンである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別有利状態を発生させたりするものである。
【手続補正４８】
【補正対象書類名】明細書
【補正対象項目名】００６７
【補正方法】変更
【補正の内容】
【００６７】
このようにすると、パチスロ機において、本発明に係る遊技機の作用効果を奏することができる。
【手続補正４９】
【補正対象書類名】明細書
【補正対象項目名】００６８
【補正方法】変更
【補正の内容】
【００６８】
本発明に係る遊技機のさらに他の一例は、パチンコ機とパチスロ機とを融合させてなる遊技機であることを特徴とする。ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別有利状態を発生させたりするものである。
【手続補正５０】
【補正対象書類名】明細書
【補正対象項目名】００６９
【補正方法】変更
【補正の内容】
【００６９】
このようにすると、パチンコ機とパチスロ機とを融合させてなる遊技機において、本発明に係る遊技機の作用効果を奏することができる。